(57)【要約】【課題】ワイヤハーネスの電線やコルゲートチューブを位置ずれなくプロテクタへ固定することが可能なワイヤハーネスの固定構造を提供すること。【解決手段】プロテクタ１１の収容部Ｓ内に、ワイヤハーネス３１のコルゲートチューブ３２，３３，３４が底壁部１２側から二段に積層され、底壁部１２側の第１段目のコルゲートチューブ３２，３３が結束バンド４１で底壁部１２に結束されて固定され、第２段目のコルゲートチューブ３４は、結束バンド４１によって、既に固定された底壁部１２側の段のコルゲートチューブ３２，３３とともに底壁部１２に結束されて固定されている。【選択図】図３
2015149829.tif 000002
【特許請求の範囲】
【請求項１】
プロテクタに形成された収容部に収容された複数の線材を有するワイヤハーネスを、前記収容部に固定するワイヤハーネスの固定構造であって、
前記線材が、前記収容部を構成する底壁部側から複数段に積層された状態で前記収容部に収容され、
前記底壁部側から第１段目の線材が、結束部材によって前記底壁部に結束されて固定され、
前記底壁部側から第２段目以上の線材が、前記底壁部側の段から順に、結束部材によって、既に固定された前記底壁部側の線材とともに前記底壁部に結束されて固定されていることを特徴とするワイヤハーネスの固定構造。
【請求項２】
前記線材は、電線が挿通されたコルゲートチューブ及び電線の少なくとも一方であることを特徴とする請求項１に記載のワイヤハーネスの固定構造。
【発明の詳細な説明】
【技術分野】
【０００１】
本発明は、ワイヤハーネスを収容して保護するプロテクタへのワイヤハーネスの固定構造に関する。
【背景技術】
【０００２】
複数本の電線を備えたワイヤハーネスを収容して保護するプロテクタは、ワイヤハーネスを収容する収容部を有している。この収容部に収容されるワイヤハーネスは、プロテクタに形成された孔部に通された結束バンドによって結束されてプロテクタに固定される（特許文献１参照）。
【先行技術文献】
【特許文献】
【０００３】
【特許文献１】特開平８−３３１５６号公報
【発明の概要】
【発明が解決しようとする課題】
【０００４】
ところで、ワイヤハーネスが異なる径の複数本の電線を有している場合では、結束バンドで纏めて結束した状態で、電線同士の隙間が大きくばらついてしまう。すると、電線に引張力などの外力が作用した際に、電線同士の隙間のばらつきやプロテクタの変形によって結束バンド内で電線が軸方向や径方向へ移動して位置ずれしてしまうことがある。
【０００５】
また、複数本のコルゲートチューブに複数本の電線を収容し、コルゲートチューブを纏めて結束バンドでプロテクタに固定する場合でも、コルゲートチューブの径が異なることによる隙間のばらつきとともに、コルゲートチューブやプロテクタの変形によって結束バンド内でコルゲートチューブが位置ずれしてしまう。
【０００６】
このように、結束バンド内で電線やコルゲートチューブが位置ずれすると、ワイヤハーネスが設計通りのレイアウトとならず、例えばプロテクタに設けられた蓋が本体に固定することができずプロテクタの配索が困難となったり、ワイヤハーネスの端部に設けられたコネクタの位置がずれて相手方コネクタとの接続が困難になることがある。
【０００７】
本発明は、上述した事情に鑑みてなされたものであり、その目的は、ワイヤハーネスの電線やコルゲートチューブを位置ずれなくプロテクタへ固定することが可能なワイヤハーネスの固定構造を提供することにある。
【課題を解決するための手段】
【０００８】
前述した目的を達成するために、本発明に係るワイヤハーネスの固定構造は、下記（１）及び（２）を特徴としている。
（１）  プロテクタに形成された収容部に収容された複数の線材を有するワイヤハーネスを、前記収容部に固定するワイヤハーネスの固定構造であって、
前記線材が、前記収容部を構成する底壁部側から複数段に積層された状態で前記収容部に収容され、
前記底壁部側から第１段目の線材が、結束部材によって前記底壁部に結束されて固定され、
前記底壁部側から第２段目以上の線材が、前記底壁部側の段から順に、結束部材によって、既に固定された前記底壁部側の線材とともに前記底壁部に結束されて固定されていることを特徴とするワイヤハーネスの固定構造。
（２）  前記線材は、電線が挿通されたコルゲートチューブ及び電線の少なくとも一方であることを特徴とする上記（１）に記載のワイヤハーネスの固定構造。
【０００９】
上記（１）の構成のワイヤハーネスの固定構造では、第１段目の線材は、結束部材によって底壁部に結束されて固定されているので、第１段目の線材が位置ずれなく固定される。また、第２段目以上の線材は、既に底壁部に固定された段の線材とともに底壁部に結束されて固定されているので、２段目以上の線材も位置ずれなく固定される。
これにより、ワイヤハーネスが異なる径の複数本の線材を有している場合であっても、ワイヤハーネスに引張力などの外力が作用した際に、結束部材内で線材が軸方向や径方向へ移動して位置ずれするような不具合がなくされる。したがって、ワイヤハーネスのレイアウトを設計通りに維持して良好に配索することができ、端部に設けられたコネクタの相手方コネクタとの接続を良好に行うことができる。
上記（２）の構成のワイヤハーネスの固定構造では、ワイヤハーネスが異なる径の複数本のコルゲートチューブ、異なる径の複数本の電線、あるいはコルゲートチューブと電線とからなる場合のいずれであっても、ワイヤハーネスに引張力などの外力が作用した際に、結束部材内で電線が挿通されたコルゲートチューブや電線が、軸方向や径方向へ移動して位置ずれするような不具合がなくされる。
【発明の効果】
【００１０】
本発明によれば、ワイヤハーネスの電線やコルゲートチューブを位置ずれなくプロテクタへ固定することが可能なワイヤハーネスの固定構造を提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、ワイヤハーネスが固定されるプロテクタの斜視図である。
【図２】図２は、本実施形態に係るワイヤハーネスの固定構造を示すワイヤハーネスが固定されたプロテクタの斜視図である。
【図３】図３は、本実施形態に係るワイヤハーネスの固定構造を示すワイヤハーネスが固定されたプロテクタの断面図である。
【図４】図４は、参考例を示す図であって、図４（ａ）及び図４（ｂ）は、それぞれワイヤハーネスが固定されたプロテクタの断面図である。
【発明を実施するための形態】
【００１３】
以下、本発明に係る実施形態の例を、図面を参照して説明する。
【００１４】
図１は、ワイヤハーネスが固定されるプロテクタの斜視図である。図２は、本実施形態に係るワイヤハーネスの固定構造を示すワイヤハーネスが固定されたプロテクタの斜視図である。図３は、本実施形態に係るワイヤハーネスの固定構造を示すワイヤハーネスが固定されたプロテクタの断面図である。
【００１５】
図１に示すように、プロテクタ１１は、底壁部１２と、この底壁部１２の両側部に立設された一対の側壁部１３とを有した断面コ字状に形成されている。このプロテクタ１１は、プラスチック等の合成樹脂から成形されたもので、底壁部１２と側壁部１３とで囲われた空間が収容部Ｓとされている。
【００１６】
一方の側壁部１３には、ボルト挿通孔１４を有する固定部１５が形成されている。プロテクタ１１は、固定部１５のボルト挿通孔１４に挿通したボルト（図示略）を自動車の車体等のネジ孔へねじ込むことで、車体に締結固定される。
【００１７】
また、プロテクタ１１は、長手方向にずれた位置に、二つの結束部２１，２２を有している。結束部２１は、底壁部１２の両側部における側壁部１３の内側に形成されたバンド固定穴２５を有している。また、結束部２２は、側壁部１３の上縁に固定片２６を有しており、これらの固定片２６には、バンド固定穴２７が形成されている。
【００１８】
図２及び図３に示すように、上記のプロテクタ１１には、収容部Ｓに、ワイヤハーネス３１が収容されている。ワイヤハーネス３１は、複数本（本例では３本）のコルゲートチューブ（線材）３２，３３，３４を有している。コルゲートチューブ３２，３３，３４は、合成樹脂から成形されたもので、それぞれのコルゲートチューブ３２，３３，３４には、複数本の電線３５が収容されている。電線３５は、コルゲートチューブ３２，３３，３４に挿通されて保護されている。本例では、二本のコルゲートチューブ３２，３３に対して一本のコルゲートチューブ３４が大径とされている。
【００１９】
小径の二本のコルゲートチューブ３２，３３は、プロテクタ１１の底壁部１２側に並列に配置されており、大径の一本のコルゲートチューブ３４は、小径の二本のコルゲートチューブ３２，３３に重ねられている。これにより、プロテクタ１１の収容部Ｓには、複数本のコルゲートチューブ３２，３３，３４が二段に積層されている。
【００２０】
コルゲートチューブ３２，３３，３４は、結束バンド（結束部材）４１によってプロテクタ１１に固定されている。結束バンド４１は、被結束物を周回し、一端側を他端側に形成された係合孔へ挿し込んで引っ張ることで、被結束物を結束するものである。
【００２１】
底壁部１２側の第１段目のコルゲートチューブ３２，３３は、結束バンド４１によって結束部２１で底壁部１２に結束されて固定されている。具体的には、コルゲートチューブ３２，３３は、収容部Ｓに収容されて底壁部１２に並列に配置された状態で、結束部２１のバンド固定穴２５へ通されてコルゲートチューブ３２，３３及び底壁部１２の周囲に巻回された結束バンド４１によって結束されて固定されている。
【００２２】
また、第２段目のコルゲートチューブ３４は、結束バンド４１によって、既に固定された底壁部１２側のコルゲートチューブ３２，３３とともに底壁部１２に結束されて固定されている。具体的には、コルゲートチューブ３４は、コルゲートチューブ３２，３３に重ねて収容部Ｓに収容された状態で、結束部２２のバンド固定穴２７へ通されて既に底壁部１２に固定されたコルゲートチューブ３２，３３、底壁部１２及び側壁部１３の周囲に巻回された結束バンド４１によって結束されて固定されている。
【００２３】
このように、本実施形態では、コルゲートチューブを二段以上に積層する場合に、第２段目以上については、底壁部１２側の段から順に、結束バンド４１によって、既に固定された底壁部１２側のコルゲートチューブとともに底壁部１２に結束して固定している。
【００２４】
ここで、図４（ａ）は、径の異なる複数本のコルゲートチューブ３２，３３，３４を纏めて一本の結束バンド４１でプロテクタ１１の底壁部１２に結束して固定した状態を示すものである。このようにプロテクタ１１の底壁部１２にコルゲートチューブ３２，３３，３４を纏めて結束バンド４１で結束して固定した場合では、コルゲートチューブ３２，３３，３４の径が異なることにより、コルゲートチューブ３２，３３，３４同士の隙間にばらつきが生じる。
【００２５】
また、ワイヤハーネス３１に引張力などの外力が作用すると、樹脂から成形されたコルゲートチューブ３２，３３，３４やプロテクタ１１が変形することがある。
【００２６】
そして、コルゲートチューブ３２，３３，３４同士の隙間にばらつきが生じた状態で、ワイヤハーネス３１に引張力などの外力が作用すると、図４（ｂ）に示すように、コルゲートチューブ３２，３３，３４の隙間のばらつきとともに、コルゲートチューブ３２，３３，３４やプロテクタ１１の変形によって、結束バンド４１内でコルゲートチューブ３２，３３，３４が軸方向や径方向へ移動して位置ずれしてしまうことがある。
【００２７】
このように、結束バンド４１内でコルゲートチューブ３２，３３，３４が位置ずれすると、ワイヤハーネス３１が設計通りのレイアウトとならず、例えばプロテクタに設けられた蓋が本体に固定することができずプロテクタの配索が困難となったり、ワイヤハーネス３１の端部に設けられたコネクタ（図示略）の位置がずれて相手方コネクタとの接続が困難になることがある。
【００２８】
これに対して、本実施形態に係るワイヤハーネスの固定構造では、第１段目のコルゲートチューブ３２，３３が、結束バンド４１によってプロテクタ１１の底壁部１２に結束されて固定されているので、第１段目のコルゲートチューブ３２，３３が位置ずれなく固定される。また、第２段目のコルゲートチューブ３４は、既に底壁部１２に固定された第１段目のコルゲートチューブ３２，３３とともに底壁部１２に結束されて固定されているので、２段目のコルゲートチューブ３４も位置ずれなく固定される。
【００２９】
これにより、ワイヤハーネス３１が異なる径の複数本のコルゲートチューブ３２，３３，３４を有している場合であっても、ワイヤハーネス３１に引張力などの外力が作用した際に、結束バンド４１内でコルゲートチューブ３２，３３，３４が軸方向や径方向へ移動して位置ずれするような不具合がなくされる。したがって、ワイヤハーネス３１のレイアウトを設計通りに維持して良好に配索することができ、端部に設けられたコネクタの相手方コネクタとの接続を良好に行うことができる。
【００３０】
なお、上記実施形態では、ワイヤハーネス３１を構成する三本のコルゲートチューブ３２，３３，３４を二段に積層させたが、ワイヤハーネス３１を構成する線材の本数は三本に限定されず、また、収容部Ｓ内における積層段数は二段に限定されない。
【００３１】
また、上記実施形態では、コルゲートチューブ３２，３３，３４をプロテクタ１１の底壁部１２に固定したが、側壁部１３に固定する形態であってもよい。この場合、コルゲートチューブ３２，３３，３４が、側壁部１３側から複数段に積層された状態で収容部Ｓに収容され、且つ、複数段に積層されたコルゲートチューブ３２，３３，３４それぞれを結束出来る位置に結束部が設けられる。
【００３２】
また、上記実施形態では、電線３５が挿通されたコルゲートチューブ３２，３３，３４をプロテクタ１１に固定したが、プロテクタ１１に固定するワイヤハーネス３１としては、複数本の電線からなるものでも良い。また、電線とコルゲートチューブとを備えるものであっても良く、さらに言えば、電線を一束にした状態を維持することができる部材であればよい。これらの場合においても、ワイヤハーネス３１に引張力などの外力が作用した際に、結束バンド４１内で電線やコルゲートチューブが、軸方向や径方向へ移動して位置ずれするような不具合がなくされる。
【００３３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３４】
ここで、上述した本発明に係るワイヤハーネスの固定構造の実施形態の特徴をそれぞれ以下（１）及び（２）に簡潔に纏めて列記する。
（１）  プロテクタ（１１）に形成された収容部（Ｓ）に収容された複数の線材（コルゲートチューブ３２，３３，３４）を有するワイヤハーネス（３１）を、前記収容部に固定するワイヤハーネスの固定構造であって、
前記線材が、前記収容部を構成する底壁部（１２）側から複数段に積層された状態で前記収容部に収容され、
前記底壁部側から第１段目の線材が、結束部材（結束バンド４１）によって前記底壁部に結束されて固定され、
前記底壁部側から第２段目以上の線材が、前記底壁部側の段から順に、結束部材（結束バンド４１）によって、既に固定された前記底壁部側の線材とともに前記底壁部に結束されて固定されていることを特徴とするワイヤハーネスの固定構造。
（２）  前記線材は、電線が挿通されたコルゲートチューブ及び電線の少なくとも一方であることを特徴とする上記（１）に記載のワイヤハーネスの固定構造。
【符号の説明】
【００３５】
１１  プロテクタ
１２  底壁部
３１  ワイヤハーネス
３２，３３，３４  コルゲートチューブ（線材）
３５  電線
Ｓ  収容部
【図１】
2015149829.tif 000003
【図２】
2015149829.tif 000004
【図３】
2015149829.tif 000005
【図４】
2015149829.tif 000006